(57)【特許請求の範囲】
【請求項１】
基地局は、端末から送信されたスキャン要求シグナルを受信し、
前記スキャン要求シグナルに応じて、前記基地局は、前記端末がスキャンする必要があるキャリアーを確定して、前記端末へスキャン応答メッセージを送信し、
前記基地局が、前記端末がスキャンする必要があるキャリアーを確定した後、
前記基地局は、前記端末がスキャンする必要があるキャリアーの標識、周波数、帯域幅の中の少なくとも一つを含む配置パラメーターを設置し、
前記基地局は、前記端末が前記配置パラメーターに基づいてスキャンするように、前記配置パラメーターを前記スキャン応答メッセージに携帯させ、
前記基地局が、前記端末がスキャンする必要があるキャリアーを確定することは、
前記基地局が、前記端末がスキャンする必要があるキャリアーが前記基地局内のキャリアー或いは隣り合うマルチキャリアー基地局のキャリアーであることを確定することを含むことを特徴とするマルチキャリアーシステムに基づくスキャン応答送信方法。
【請求項２】
前記端末がスキャンする必要があるキャリアーは、全配置キャリアーである
ことを特徴とする請求項１に記載の方法。
【請求項３】
前記スキャン応答メッセージには前記スキャン要求シグナルに携帯されたキャリアー標識が対応するキャリアーが推薦されるか否か、推薦キャリアーの個数の二つのうち少なくとも一つをさらに携帯する
ことを特徴とする請求項２に記載の方法。
【請求項４】
基地局は、端末がスキャンする必要があるキャリアーを確定して、その情報を切替要求シグナルに携帯させて前記端末に送信し、
前記端末が前記切替要求シグナルに基づいてスキャンする必要があるキャリアーをスキャンし、
前記基地局が端末がスキャンする必要があるキャリアーを確定することは、
前記基地局は、前記端末がスキャンする必要があるキャリアーが前記基地局内のキャリアー或いは隣り合うマルチキャリアー基地局のキャリアーであることを確定する
ことを特徴とするマルチキャリアーシステムに基づくスキャン応答送信方法である。
【請求項５】
前記端末がスキャンする必要があるキャリアーは、全配置キャリアーである
ことを特徴とする請求項４に記載の方法。
【発明の詳細な説明】
【技術分野】
【０００１】
本発明は、通信分野に関し、そして特に、マルチキャリアーシステムに基づくスキャン応答送信方法と基地局に関する。
【背景技術】
【０００２】
関連技術には、高速率の要求を満たすために、マルチキャリアーの概念をシステムに導入する。
【０００３】
基地局は、複数のキャリアーを配置することができ、そして、これらのキャリアーが全配置キャリアーと部分配置キャリアーの２種類に分けられる。その中、全配置キャリアーには全ての必要な同期チャンネル、制御チャンネルなどのシステム側の情報が含まれ、部分配置キャリアーにはデータ伝送チャンネルのみ、或いはいくつかの必要な制御メッセージのみが含まれることができ、全配置キャリアーに比べ、同期チャンネルが含まれなくてもよい。
【０００４】
端末側には、キャリアーが主キャリアーと次キャリアーに分かれてもよい。
【０００５】
その中、主キャリアーは、必ず全配置キャリアーでなければならず、主に基地局と端末の間の制御メッセージおよび／またはデータの交互に利用され、また、サービス処理、及び物理（Physics、PHYと略称）制御情報或いはメディアアクセス制御（Media Access Control、MACと略称）情報の交互に利用されることができる。その他、主キャリアーは、一部の端末の制御機能、例えば、ネットワークアクセスを完成することに利用されることができる。説明しておくと、各端末は、セル内で1つの主キャリアを有し、且つ1つの主キャリアーのみを有する。
【０００６】
次キャリアーは、全配置キャリアーであってもよいし、部分配置キャリアーであってもよく、端末にサービスを伝送する補足的なキャリアーであって、主にデータの交互に利用される。その中、次キャリアーにマルチキャリアー操作をサポートする制御シグナルが含まれることができる。1つの端末は、1つ或いは複数の次キャリアーを有してもよいし、次キャリアーを有しなくてもよい。
【０００７】
移動通信システムにおいて、端末が基地局の縁に移動される際に、元のサービス基地局の信号条件が下がり、且つ引き続き端末へサービスを提供することができなければ、端末は、サービスの持続性を維持するために別の基地局に切り替えなければならない。このような切替は、基地局間の切替である。
【０００８】
マルチキャリアーシステムにおいて、1つの基地局が複数のキャリアーを提供するから、端末が使用しているキャリアー（サービスキャリアー）の負荷が大きすぎてサービス品質（Quality of Service、QoSと略称）が下がる或いはサービスキャリアーの強度が下がる時、端末がより良い強度のキャリアーを探さなければならない場合、端末は、基地局でその他のキャリアーに切り替えてデータの伝送を行うことができる。このような切替は、基地局内の切替である。
【０００９】
シングルキャリアーシステムにおいて、基地局は、放送情報で隣のセル（即ち、現在のサービスセルと隣り合うセル）の情報を放送して、端末の隣のセルに対するスキャンをサポートすることで、端末が隣のセルの信号品質を測定することができ、当該放送情報が隣のセルの基地局内の標識などの情報を提供することができる。マルチキャリアーシステムにおいて、1つの基地局には複数のキャリアーを配置することができ、基地局が、放送情報でサービス基地局のマルチキャリアー情報を放送し、サービスキャリアーが端末に良い無線条件を提供することができない時、端末が、基地局にスキャン要求を送信して現在のサービス基地局のキャリアー或いは隣り合うマルチキャリアー基地局のキャリアーをスキャンすることを要求するが、しかし、現在の基地局は、端末へスキャン応答を送信する相応方案を持たない。また、現在、端末が切替を行なう必要があり、且つサービス基地局より当該切替を触発する時、サービス基地局が端末へ送信する切替要求シグナルには端末がスキャンする必要があるキャリアーの相応方案が含まれない。
【発明の概要】
【発明が解決しようとする課題】
【００１０】
本発明は、マルチキャリアーシステムの関連技術には端末が基地局へスキャン要求シグナルを送信する際に、基地局が端末へスキャン応答を送信する相応方案を持たず、及び基地局が端末へ切替要求シグナルを自発的に送信する際に、切替要求シグナルには端末がスキャンする必要があるキャリアーの相応方案を含まない問題を考えて提案されるものであって、そのため、本発明の主要な目的が関連技術に存在する上記問題の少なくとも一つを解決するために、マルチキャリアーシステムに基づき、改善されたスキャン応答送信方案を提供することにある。
【課題を解決するための手段】
【００１１】
上述目的を実現するために、本発明の一つの方面に基づいて、マルチキャリアーシステムに基づくスキャン応答送信方法を提供する。
【００１２】
本発明によるマルチキャリアーシステムに基づくスキャン応答送信方法は、基地局が端末から送信されたスキャン要求シグナルを受信し、スキャン要求シグナルに応じて、端末がスキャンする必要があるキャリアーを確定して、端末へスキャン応答メッセージを送信する。
【００１３】
その他、基地局は、端末がスキャンする必要があるキャリアーを確定した後、端末がスキャンする必要があるキャリアーの配置パラメーターを設置し、その中、配置パラメーターにキャリアーの標識、周波数、帯域の少なくとも一つが含まれ、配置パラメーターをスキャン応答メッセージに携帯させて、端末が配置パラメーターに基づいてスキャンできるようにする。
【００１４】
その中、基地局が、端末がスキャンする必要があるキャリアーを確定することは、基地局が、端末がスキャンする必要があるキャリアーを基地局内のキャリアーである或いは隣り合うマルチキャリアー基地局のキャリアーであることを確定することを含む。
【００１５】
最適選択的に、端末がスキャンする必要があるキャリアーは、全配置キャリアーである。
【００１６】
最適選択的に、スキャン応答メッセージには、スキャン要求シグナルに携帯されたキャリアー標識が対応するキャリアーが推薦されるか否か、および推薦されたキャリアーの個数の少なくとも一つが携帯される。
【００１７】
上述目的を実現するために、本発明のもう一つの方面に基づいて、マルチキャリアーシステムに基づくスキャン応答送信方法を提供する。
【００１８】
本発明によるマルチキャリアーシステムに基づくスキャン応答送信方法は、基地局が、端末がスキャンする必要があるキャリアーを確定して、その情報を切替要求シグナルに携帯させて端末に送信し、端末が切替要求シグナルに基づいて端末がスキャンする必要があるキャリアーをスキャンすることを含む。
【００１９】
その中、基地局は、端末がスキャンする必要があるキャリアーを確定することは、基地局は、端末がスキャンする必要があるキャリアを基地局内のキャリアーである或いは隣り合うマルチキャリアー基地局のキャリアーであることを確定することを含む。
【００２０】
最適選択的に、端末がスキャンする必要があるキャリアーは、全配置キャリアーである。
【００２１】
上述の目的を実現するために、本発明のもう一つの方面に基づいて、一つの基地局を提供する。
【００２２】
本発明による基地局は、端末から送信されたスキャン要求シグナルを受信するための受信モジュールと、端末がスキャンする必要があるキャリアーが、基地局内のキャリアーである或いは隣り合うマルチキャリアー基地局のキャリアーであることを確定するための確定モジュールと、確定モジュールが端末がスキャンする必要があるキャリアーを確定した後、端末へスキャン応答メッセージを送信するための送信モジュールと、を含む。
【００２３】
上述の目的を実現するために、本発明のもう一つの方面に基づいて、一つの基地局を提供する。
【００２４】
本発明による基地局は、端末がスキャンする必要があるキャリアーが、基地局内のキャリアーである或いは隣り合うマルチキャリアー基地局のキャリアーであることを確定するための確定モジュールと、端末がスキャンする必要があるキャリアーのメッセージを切替要求シグナルに携帯させて端末に送信して、端末に切替要求シグナルに基づいて端末がスキャンする必要があるキャリアーをスキャンさせるようにするための送信モジュールとを含む。
【００２５】
本発明の技術的案によれば、スキャン応答メッセージを設置することで、マルチキャリアーシステムにおいて、端末が基地局へスキャン要求シグナルを送信する際に、基地局は、端末へスキャン応答メッセージを送信することができ、基地局が端末へ切替要求シグナルを自発的に送信する際に、端末は、基地局へスキャン応答メッセージを送信することもできる。
【００２６】
本発明のその他の特徴と利点を後の説明書にて詳しく説明し、そして、部分的に説明書から明らかになる、或いは本発明を実施することで理解する。本発明の目的とその他の利点は、記載された説明書、特許請求書、及び図面で特に指摘された構造より実現して得られることができる。
【００２７】
図面は、本発明をさらに理解するために提供され、本明細書の一部を構成し、本発明の実施例とともに本発明を解釈（理解）することに使用され、本発明に対する限定を構成しない。
【図面の簡単な説明】
【００２８】
【図１】本発明の方法の実施例一によるマルチキャリアーシステムに基づくスキャン応答送信方法のフローチャートである。
【図２】本発明の方法の実施例による実施例1のフローチャートである。
【図３】本発明の方法の実施例による実施例2のフローチャートである。
【図４】本発明の方法の実施例による実施例3のフローチャートである。
【図５】本発明の方法の実施例による実施例4のフローチャートである。
【図６】本発明の方法の実施例二によるマルチキャリアーシステムに基づくスキャン応答送信方法のフローチャートである。
【図７】本発明の方法の実施例による実施例5のフローチャートである。
【図８】本発明の方法の実施例による実施例6のフローチャートである。
【図９】本発明の方法の実施例による実施例7のフローチャートである。
【図１０】本発明の方法の実施例による実施例8のフローチャートである。
【図１１】本発明の装置の実施例一による基地局のブロック図である。
【図１２】本発明の装置の実施例二による基地局のブロック図である。
【発明を実施するための形態】
【００２９】
機能の概述
マルチキャリアーシステムにおいて、端末が基地局へスキャン要求シグナルを送信する際に、基地局が、端末へスキャン応答を送信する相応方案を持たず、そして、基地局が端末へ切替要求シグナルを自発的に送信する際に、切替要求シグナルに端末がスキャンする必要があるキャリアーを含む相応方案を持たず、そのため、本発明は、改善されたマルチキャリアーシステムに基づくスキャン応答送信方法を提供する。本発明の技術的案で、その中の1つの方案については、基地局は、端末から送信されたスキャン要求シグナルを受信し、スキャン要求シグナルに応じて、端末は、スキャンする必要があるキャリアーを確定して、端末へスキャン応答メッセージを送信する。他の一つの方案については、基地局は、端末がスキャンする必要があるキャリアーを確定して、そのメッセージを切替要求シグナルに携帯させて端末に送信し、端末は、切替要求シグナルに基づいて端末がスキャンする必要があるキャリアーをスキャンする。
【００３０】
以下、図面を参照して本発明の最適選択的な実施例を説明する。ここで説明する最適選択的な実施例は、本発明を説明及び解釈するためだけのものであるが、本発明を限定するためのものではないと理解すべきである。
【００３１】
以下の説明では、解釈の目的のために、複数の特定の細い点を説明して、本発明に対する明瞭な理解を提供する。しかしながら、明らかに、これらの特定の細い点がない場合でも、本発明を実現することができる。その他、付け加えた特許請求に述べた精神と範囲を背離しない範囲で、下記実施例及び実施例における各細い点は、いろいろ組み合わせることができる。
【００３２】
方法の実施例一
本発明の実施例によれば、マルチキャリアーシステムに基づくスキャン応答送信方法を提供する。図１は、本発明の方法の実施例一によるマルチキャリアーシステムに基づくスキャン応答送信方法のフローチャートである。図１に示すように、以下の処理（ステップS102−ステップS104）を含む。
【００３３】
ステップS102において、サービス基地局は、端末から送信されたスキャン要求シグナルを受信する。
【００３４】
ステップS104において、スキャン要求シグナルに応じて、サービス基地局は、まず端末の現在の状態（端末が現在、行うサービスのタイプ）および／または基地局内のスケジュールアルゴリズムによって端末が本基地局或いはその隣の基地局内のキャリアーのスキャンを開始することができるか否かを確定して、端末が本基地局或いはその隣の基地局内のキャリアーをスキャンすることができることを確定した上で、また、端末がスキャンする必要があるキャリアー（即ち、推薦キャリアー）を確定する必要がある。説明しておくと、端末がスキャンする必要がある推進キャリアーは、本基地局内のキャリアーであってもよいし、隣り合うマルチキャリアー基地局のキャリアーであってもよい。最適選択的に、推薦キャリアーは、全配置キャリアーである。
【００３５】
サービス基地局は、推薦キャリアーを確定した上で、推薦キャリアーの配置パラメーターを設置する必要があって、その中、配置パラメーターが推薦キャリアーの標識、周波数、帯域幅情報を含むがそれに限られず、その後、配置パラメーターをスキャン応答メッセージに携帯させて端末に送信して、端末が配置パラメーターに基づいて本基地局或いは隣の基地局をスキャンするようにさせることができる。実際の応用において、スキャン応答メッセージには、推薦キャリアーの標識、周波数、帯域情報の他、スキャン要求シグナルに携帯されたキャリアー標識が対応するキャリアーが推薦されるか否か、推薦キャリアーの個数などの情報を含むことができる。
【００３６】
以下、実施例を結び付けて本発明の方法の実施例一による技術的案を説明する。
【００３７】
実施例1
本実施例で、サービス基地局のキャリアー情報（即ち、基地局の全てのキャリアー情報）は、サービス基地局によってMOB_SMC-ADVメッセージで端末に放送され、スキャン要求シグナルは、端末によってMOB_SCN-REQメッセージでサービス基地局に送信され、スキャン応答メッセージは、サービス基地局によってMOB_SCN-RSPメッセージで端末に送信される。図２は、本発明の方法の実施例による実施例1のフローチャートである。図２に示すように、以下の処理を含む。
【００３８】
ステップ1において、マルチキャリアーをサポートするサービス基地局が端末へ本基地局の全てのキャリアー情報を放送する。具体的には、サービス基地局のマルチキャリアー情報は、MOB_SMC-ADVメッセージに携帯されることができる。このメッセージ（MOB_SMC-ADVメッセージ）は、新しいメッセージで、基地局内のキャリアーメッセージに関するシステムメッセージであって、サービス基地局によって放送チャンネルよりそのサービス領域内の端末に放送されることができる。表1にマルチキャリアーをサポートするMOB_SMC-ADVメッセージのメッセージフォーマットを示す。その中、当該メッセージにおけるマルチキャリアー情報は、マルチキャリアーセルに含まれるキャリアーの数、キャリアー標識（SCID）、キャリアーの周波数（SCF）、キャリアーの帯域幅（SCB）というパラメーターを含むがそれらに限らない。
【００３９】
MOB_SMC-ADVメッセージには1、現在のサービス基地局のマルチキャリアーの数（N_SCARRIERS）、2、全配置キャリアーであるか否かのフラッグ（SFC flag）、3、現在のサービス基地局の全配置キャリアーの数(N_SFCARRIERS)というパラメーターを添加する必要がある。
【００４０】
【表１】
0005623424.tif 000002
【００４１】
ステップ2において、サービスキャリアーが端末に良い無線条件を提供することができない場合、端末は、サービス基地局へスキャン要求シグナルを送信して、現在のサービス基地局のキャリアーをスキャンするために、一定のスキャン期間を割り当てることを要求する。具体的には、端末がサービス基地局へ本基地局のキャリアーをスキャンするスキャン要求シグナルを送信する時、スキャン要求シグナルをMOB_SCN-REQメッセージに携帯させて送信することができる。表2にマルチキャリアーをサポートするMOB_SCN-REQメッセージのメッセージフォーマットを示す。表2に示すように、MOB_SCN-REQメッセージには、1、推薦サービス基地局のキャリアーの個数索引（N_Recommended_SMC_Index）、N_Recommended_SMC_Indexの値がOxFFに等しい場合、サービス基地局のキャリアーのビットマップ索引（SMC_Bitmap_Index)を使用してMOB_SMC-ADVメッセージにおけるサービス基地局のキャリアー索引を識別する必要があることを表し、N_Recommended_SMC_Indexの値がOxFFに等しくない場合、MOB_SMC-ADVメッセージにおける推薦されたキャリアーの数を表すもの、2、サービス基地局のキャリアーのビットマップサイズ（SMC_Bitmap_Size)、サービス基地局の全配置キャリアーのビットマップ索引のサイズを表すためのもの、3、サービス基地局のキャリアーのビットマップ索引（SMC_Bitmap_Index）、サービス基地局の全配置キャリアーのビットマップ索引を表すためのもの、4、サービス基地局のキャリアー索引（SMC_BS_Index）、MOB_SMC-ADVメッセージにおけるサービス基地局のキャリアーの位置索引を表すためのものというパラメーターを携帯することができる（図１でのステップS102に対応する）。
【００４２】
【表２】
0005623424.tif 000003
【００４３】
ステップ3において、サービス基地局は、端末からのスキャン要求シグナルを携帯するMOB_SCN-REQメッセージを受信した後、端末が現在運行中のサービスおよび／または基地局内部のスケジュールアルゴリズムなどによって、端末がサービス基地局のキャリアーのスキャンを開始することができるか否かを確定する。具体的には、サービス基地局が要求の時間と同じ長さのスキャン期間（即ち、スキャン持続時間）を端末に授権すると、端末は、サービス基地局のキャリアーのスキャンを開始することができる。サービス基地局が端末に授権したスキャン持続時間が0であると、サービス基地局が端末のキャリアースキャン要求を拒絶したことを表す。
【００４４】
ステップ4において、サービス基地局は端末がサービス基地局のキャリアーのスキャンを開始することができることを確定すると、端末へスキャン応答メッセージを送信する（図１のステップS104に対応する）。具体的には、サービス基地局が端末へ送信したスキャン応答メッセージがMOB_SCN-RSPメッセージに含まれることができる。当該メッセージは、基本接続ID(BASIC CID)で送信されることができる。表3にマルチキャリアーをサポートするMOB_SCN-RSPメッセージのメッセージフォーマットを示す。表3に示すように、当該メッセージに、1、MOB_SMC-ADVメッセージにおけるキャリアーの索引ビットマップが使用されるか否か(Use_SMC_Bitmap_Index)、2、MOB_SCN-REQメッセージにおけるキャリアーの索引ビットマップが使用されるか否か(Use_ReqSMC_Bitmap_Index)、3、MOB_SMC-ADVメッセージにおける配置変数（Configuration change count for MOB_SMC-ADV）、4、MOB_SMC-ADVメッセージにおけるビットマップ索引のサイズ（SMC_Bitmap_Size)、5、MOB_SCN-REQメッセージにおける相応キャリアーが推薦されるか否か（SMC_Bitmap_Index）、6、推薦キャリアーの個数（N_Recommended_SMC_Index）、7、MOB_SMC-ADVメッセージにおけるキャリアー索引（SMC_Index)、8、48ビットの標識（ID）を使用する推薦サービスキャリアーの数（N_Recommended_SMC_Full)、9、推薦キャリアーID(Recommended SMC ID)というパラメーターを添加することができる。
【００４５】
【表３】
0005623424.tif 000004
【００４６】
ステップ5において、端末は、サービス基地局がMOB_SCN-RSPメッセージで送信したスキャン応答メッセージを受信して、サービス基地局のキャリアーのスキャンを開始して、スキャン応答メッセージに基づいてスキャン報告を与えるか否か及びどのようにスキャン報告を与えるかを決定する。
【００４７】
上記処理から分かるように、基地局は、MOB_SCN-RSPメッセージで端末へスキャン応答メッセージを送信することで、端末の本基地局内のマルチキャリアースキャン要求シグナルに対して応答できる。
【００４８】
実施例2
本実施例において、サービス基地局のキャリアー情報（即ち、基地局の全てのキャリアー情報）は、サービス基地局によってMOB_SMC-ADVメッセージで端末に放送され、スキャン要求シグナルは、端末によってMOB_SMC-REQメッセージでサービス基地局に送信され、スキャン応答メッセージは、サービス基地局によってMOB_SMC-RSPメッセージで端末に送信される。図３は、本発明の方法の実施例による実施例2のフローチャートである。図３に示すように、以下の処理を含む。
【００４９】
ステップ1において、マルチキャリアーをサポートするサービス基地局は、端末へ本基地局の全てのキャリアーメッセージを放送する。具体的には、サービス基地局のマルチキャリアー情報は、MOB_SMC-ADVメッセージに携帯されることができる。このメッセージ（MOB_SMC-ADVメッセージ）は、新しいメッセージで、基地局内部のキャリアーメッセージに関するシステムメッセージであって、サービス基地局によって放送チャンネルでそのサービス領域内の端末に放送されることができる。マルチキャリアーをサポートするMOB_SMC-ADVメッセージのメッセージフォーマットは、表1を参照することができる。当該メッセージにおけるマルチキャリアー情報は、当該マルチキャリアーセルに含まれるキャリアーの数、キャリアー標識（SCID）、キャリアーの周波数（SCF）、キャリアーの帯域幅（SCB）というパラメーターを含むがそれらに限らない。
【００５０】
MOB_SMC-ADVメッセージには、1、現在のサービス基地局のマルチキャリアーの数N_SCARRIERS、2、全配置キャリアーであるか否かのフラッグSFC flag、3、現在のサービス基地局の全配置キャリアーの数N_SFCARRIERSというパラメーターを添加することができる。
【００５１】
ステップ2において、現在のサービスキャリアーが端末に良い無線条件を提供することができない時、端末は、サービス基地局へスキャン要求シグナルを送信して、現在のサービス基地局のキャリアーをスキャンするために一定の期間を割り当てることを要求する。具体的には、端末がサービス基地局へ当該基地局のキャリアーをスキャンするスキャン要求シグナルを送信する時、MOB_SMC-REQメッセージでスキャン要求を送信して、スキャン期間、スキャン概算時間或いは推薦開始フレームを割り当てることを要求することができる。MOB_SMC-REQメッセージは、新しいメッセージである。表4にマルチキャリアーをサポートするMOB_SMC-REQメッセージのメッセージフォーマットを示す。表4に示すように、MOB_SMC-REQメッセージに、1、スキャン持続時間（Scan duration）、2、交替区間（Inter1eaving interval)、3、スキャン回数(Scan Iteration)、4、推薦サービス基地局のキャリアーの個数索引（N_Recommended_SMC_Index)、N_Recommended_SMC_Indexの値がOxFFに等しい場合、サービス基地局のキャリアーのビットマップ索引（SMC_Bitmap_Index）を使用してMOB_SMC-ADVメッセージにおけるサービス基地局のキャリアー索引を識別し、N_Recommended_SMC_Indexの値がOxFFに等しくない場合、推薦MOB_SMC-ADVメッセージにおける推薦されたキャリアーの数を表すもの、5、サービス基地局のキャリアーのビットマップサイズ（SMC_Bitmap_Size)、サービス基地局の全配置キャリアーのビットマップ索引のサイズを表すためのもの、6、サービス基地局のキャリアーのビットマップ索引（SMC_Bitmap_Index）、サービス基地局の全配置キャリアーのビットマップ索引を表すためのもの、7、サービス基地局のキャリアーの索引（SMC_BS_Index）、MOB_SMC-ADVメッセージにおけるサービス基地局のキャリアーの位置索引を表す（図１でのステップS102に対応する）ためのものというパラメーターを携帯することができる。
【００５２】
【表４】
0005623424.tif 000005
【００５３】
ステップ3において、現在のサービス基地局は、端末からのスキャン要求シグナルを携帯するMOB_SMC-REQメッセージを受信した後、端末の現在運行中のサービスおよび／または基地局内部のスケジュールアルゴリズムなどによって端末がサービス基地局のキャリアーのスキャンを開始することができるか否かを確定する。具体的には、サービス基地局が要求の時間と同じ長さのスキャン期間（即ち、スキャン持続時間）を端末に授権すると、端末は、サービス基地局のキャリアーのスキャンを開始することができる。サービス基地局が端末に授権したスキャン持続時間が0であると、サービス基地局が端末のキャリアースキャン要求を拒絶したことを表す。
【００５４】
ステップ4において、サービス基地局は、端末がサービス基地局のキャリアーのスキャンを開始することができることを確定すると、端末へスキャン応答メッセージを送信する（図１でのステップS104に対応する）。具体的には、サービス基地局が端末のマルチキャリアーに対するスキャン要求応答は、新しいメッセージMOB_SMC-RSPに含まれることができる。当該メッセージは、BASIC CIDで送信される。表5にマルチキャリアーをサポートするMOB_SMC-RSPメッセージのメッセージフォーマットを示す。表5に示すように、当該メッセージに、1、スキャン持続時間（Scan duration)、2、報告モード（Report mode)、3、報告周期（Report period）、4、報告度量（Report metric）、5、スキャンタイプ（Scanning_type）、6、MOB_SMC-ADVメッセージにおけるキャリアー索引ビットマップが使用されるか否か（Use_SMC_Bitmap_Index）、7、MOB_SCN-REQメッセージにおけるキャリアー索引ビットマップが使用されるか否か（Use_ReqSMC_Bitmap_Index)、8、MOB_SMC-ADVメッセージにおける配置変数（Configuration change count for MOB_SMC-ADV)、9、MOB-SMC-ADVメッセージにおけるビットマップ索引のサイズ（SMC_Bitmap_Size）、10、相応キャリアーが推薦されるか否か（SMC_Bitmap_Index）、11、推薦キャリアーの個数（N_Recommended_SMC_Index）、12、MOB_SMC-ADVメッセージにおけるキャリアー索引（SMC_Index）、13、48ビットの標識（ID）を使用する推薦サービスキャリアーの数（N_Recommended_SMC_Full)、14、推薦キャリアーID（Recommended SMC ID）というパラメーターを添加することができる。
【００５５】
【表５】
0005623424.tif 000006
【００５６】
ステップ5において、端末は、基地局がMOB_SMC-RSPメッセージで送信するスキャン応答メッセージを受信して、サービス基地局のキャリアーのスキャンを開始して、スキャン応答メッセージに基づいてスキャン報告を与えるか否か及びどのようにスキャン報告を与えるかを決定する。
【００５７】
上記処理から分かるように、基地局は、MOB_SMC-RSPメッセージで端末へスキャン応答メッセージを送信することで、端末の本基地局のマルチキャリアースキャン要求シグナルに応答することが可能となる。
【００５８】
実施例3
本実施例において、隣の基地局のキャリアー情報は、サービス基地局によってMOB_NBR-ADVメッセージで端末に放送され、スキャン要求シグナルは、端末によってMOB_SCN-REQメッセージでサービス基地局に送信され、スキャン応答メッセージは、サービス基地局によってMOB_SCN-RSPメッセージで端末に送信される。図４は、本発明の方法の実施例による実施例3のフローチャートである。図４に示すように、以下の処理を含む。
【００５９】
ステップ1において、マルチキャリアーをサポートするサービス基地局は、端末へその隣の基地局の全てのキャリアー情報（上記マルチキャリアー情報）を放送する。具体的には、隣の基地局のマルチキャリアー情報は、MOB_NBR-ADVメッセージに携帯されることができる。表6にマルチキャリアーをサポートするMOB_NBR-ADVメッセージのメッセージフォーマットを示す。表6に示すように、当該メッセージにおけるマルチキャリアー情報は、隣の基地局の標識、プリアンブル索引/サブチャンネル索引、コロケーションするか否かの指示、時間・周波数同期指示、全配置キャリアーであるか否か、マルチキャリアーセルに含まれるキャリアーの数、キャリアー標識（SCID）、キャリアーの周波数（SCF）、キャリアーの帯域幅（SCB）などのパラメーターを含むがそれらに限らない。
【００６０】
【表６】
0005623424.tif 000007
【００６１】
ステップ2において、サービスキャリアーが端末に良い無線条件を提供することができない時、端末は、サービス基地局へスキャン要求シグナルを送信して、隣の基地局のキャリアーをスキャンするために一定のスキャン期間を割り当てることを要求する。具体的には、端末がサービス基地局へ隣の基地局のキャリアーをスキャンするスキャン要求シグナルを送信する時、スキャン要求シグナルをMOB_SCN-REQメッセージに携帯させて送信することができる。表7にマルチキャリアーをサポートするMOB_SCN-REQメッセージのメッセージフォーマットを示す。表7に示すように、MOB_SCN-REQメッセージに、1、推薦された隣の基地局の個数索引（N_Recommended_SMC_Index)、N_Recommended_SMC_Indexの値がOxFFに等しい場合、隣の基地局のキャリアーのビットマップ索引（SMC_Bitmap_Index)を使用してMOB_NBR-ADVメッセージにおける隣の基地局のキャリアー索引を識別する必要があることを表し、N_Recommended_SMC_Indexの値がOxFFに等しくない場合、MOB_NBR-ADVメッセージにおける推薦されたキャリアーの数を表すもの、2、隣の基地局のキャリアーのビットマップのサイズ（SMC_Bitmap_Size）、隣の基地局の全配置キャリアーのビットマップ索引のサイズを表すもの、3、隣の基地局のキャリアーのビットマップ索引（SMC_Bitmap_Index）、隣の基地局の全配置キャリアーのビットマップ索引を表すためのもの、4、隣の基地局のキャリアーの索引(SMC_BS_ndex)、MOB_NBR-ADVメッセージにおける隣の基地局のキャリアーの位置索引を表すためのものというパラメーターを携帯することができる。
【００６２】
【表７】
0005623424.tif 000008
【００６３】
ステップ3において、サービス基地局は、端末からのスキャン要求シグナルを携帯するMOB_SCN-REQメッセージを受信した後、端末の現在運行中のサービスおよび／または基地局内部のスケジュールアルゴリズムなどによって、端末が隣の基地局のキャリアーのスキャンを開始することができるか否かを確定する。具体的には、サービス基地局が要求の時間と同じ長さのスキャン期間（即ち、スキャン持続時間）を端末に授権すると、端末は、隣の基地局のキャリアーのスキャンを開始することができる。サービス基地局が端末に授権したスキャン持続時間が0であると、サービス基地局が端末の隣の基地局のキャリアースキャン要求を拒絶したことを表す。
【００６４】
ステップ4において、サービス基地局が、端末が隣の基地局のキャリアーのスキャンを開始することができることを確定すると、端末へスキャン応答メッセージを送信する（図１でのステップS104に対応する）。具体的には、サービス基地局が端末に送信したスキャン応答メッセージは、MOB_SCN-RSPメッセージに含まれることができる。当該メッセージは、基本接続ID（BASIC CID)で送信されることができる。表8にマルチキャリアーをサポートするMOB_SCN-RSPメッセージのメッセージフォーマットを示す。表8に示すように、当該メッセージに、1、MOB_NBR-ADVメッセージにおけるキャリアーの索引ビットマップが使用されるか否か（Use_SMC_Bitmap_Index)、2、MOB_SCN-REQメッセージにおけるキャリアーの索引ビットマップが使用されるか否か（Use_ReqSMC_Bitmap_Index）、3、MOB_NBR-ADVメッセージにおける配置変数（Configuration change count for MOB_SMC-ADV）、4、MOB_NBR-ADVメッセージにおけるビットマップ索引のサイズ(SMC_Bitmap_Size)、5、MOB_SCN-REQメッセージにおける相応キャリアーが推薦されるか否か（SMC_Bitmap_Index）、6、推薦キャリアーの個数（N_Recommended_SMC_Index)、7、MOB_NBR-ADVメッセージにおけるキャリアーの索引（SMC_Index）、8、48ビットの標識（ID）を使用する推薦サービスキャリアーの数（N_Recommended_SMC_Full)、9、推薦キャリアーID（Recommended SMC ID）というパラメーターを添加することができる。
【００６５】
【表８】
0005623424.tif 000009
【００６６】
ステップ5において、端末は、サービス基地局がMOB_SCN-RSPメッセージで送信したスキャン応答メッセージを受信して、隣の基地局のキャリアーのスキャンを開始して、スキャン応答メッセージに基づいてスキャン報告を与えるか否か及びどのようにスキャン報告を与えるかを決定する。
【００６７】
上記処理から分かるように、基地局は、MOB_SCN-RSPメッセージで端末へスキャン応答メッセージを送信して、端末の隣の基地局のマルチキャリアースキャン要求シグナルに応答することが可能となる。
【００６８】
実施例4
本実施例において、隣の基地局のキャリアー情報は、サービス基地局によってMOB_NBR-ADVメッセージで端末に放送され、スキャン要求シグナルは、端末によってMOB_SMC-REQメッセージでサービス基地局に送信され、スキャン応答メッセージは、サービス基地局によってMOB_SMC-RSPメッセージで端末に送信される。図５は、本発明の方法の実施例による実施例4のフローチャートである。図５に示すように、以下の処理を含む。
【００６９】
ステップ1において、マルチキャリアーをサポートするサービス基地局は、端末へ隣の基地局の全てのキャリアー情報（上記マルチキャリアー情報）を放送する。具体的には、隣の基地局のマルチキャリアー情報は、MOB_NBR-ADVメッセージに携帯されることができる。表6にマルチキャリアーをサポートするMOB_NBR-ADVメッセージのメッセージフォーマットを示す。表6に示すように、当該メッセージにおけるマルチキャリアー情報は、隣の基地局の標識、プリアンブル索引/サブチャンネル索引、コロケーションするか否かの指示、時間・周波数同期指示、全配置キャリアーであるか否か、マルチキャリアーセルに含まれるキャリアーの数、キャリアー標識（SCID）、キャリアーの周波数（SCF）、キャリアーの帯域幅（SCB）などのパラメーターを含むがそれらに限らない。
【００７０】
テップ2において、現在のサービスキャリアーが端末に良い無線条件を提供することができない場合、端末は、サービス基地局へスキャン要求シグナルを送信して、隣の基地局のキャリアーをスキャンするために一定の期間を割り当てることを要求する。具体的には、端末がサービス基地局へ隣の基地局のキャリアーをスキャンするスキャン要求シグナルを送信する時、新規のMOB_SMC-REQメッセージでスキャン要求を送信して、スキャン期間、スキャン概算時間或いは推薦開始フレームを割り当てることを要求することができる。MOB_SMC-REQメッセージは、新しいメッセージである。表9にマルチキャリアーをサポートするMOB_SMC-REQメッセージのメッセージフォーマットを示す。表9に示すように、MOB_SMC-REQメッセージに1、スキャン持続時間（Scan duration）2、交替区間（Inter1eaving interval)、3、スキャン回数(Scan Iteration)、4、推薦された隣の基地局のキャリアーの個数索引（N_Recommended_SMC_Index)、N_Recommended_SMC_Indexの値がOxFFに等しい場合、隣の基地局のキャリアーのビットマップ索引（SMC_Bitmap_Inde）を使用してMOB_NBR-ADVメッセージにおける隣の基地局のキャリアー索引を識別し、N_Recommended_SMC_Indexの値がOxFFに等しくない場合、推薦MOB_NBR-ADVメッセージにおける推薦されたキャリアーの数を表すもの、5、隣の基地局のキャリアーのビットマップサイズ（SMC_Bitmap_Size)、隣の基地局の全配置キャリアーのビットマップ索引のサイズを表すためのもの、6、隣の基地局のキャリアーのビットマップ索引（SMC_Bitmap_Index）、隣の基地局の全配置キャリアーのビットマップ索引を表すためのもの、7、隣の基地局のキャリアーの索引（SMC_BS_Index）、MOB_NBR-ADVメッセージにおける隣の基地局のキャリアーの位置索引を表すためのものというパラメーターを携帯することができる。
【００７１】
【表９】
0005623424.tif 000010
【００７２】
ステップ3において、現在のサービス基地局が端末からのスキャン要求シグナルを携帯するMOB_SMC-REQメッセージを受信した後、端末の現在運行中のサービスおよび／または基地局内部のスケジュールアルゴリズムなどによって端末が隣の基地局のキャリアーのスキャンを開始することができるか否かを確定する。具体的には、サービス基地局が要求の時間と同じ長さのスキャン期間（即ち、スキャン持続時間）を端末に授権すると、端末は、隣の基地局のキャリアーのスキャンを開始することができる。サービス基地局が端末に授権したスキャン持続時間が0であると、サービス基地局が端末の隣の基地局のキャリアースキャン要求を拒絶したことを表す。
【００７３】
ステップ4において、サービス基地局が、端末が隣の基地局のキャリアーのスキャンを開始することができることを確定すると、端末へスキャン応答メッセージを送信する（図１でのステップS104に対応する）。具体的には、サービス基地局が端末に対するマルチキャリアースキャン応答は、新しいメッセージMOB_SMC-RSPに含まれることができる。当該メッセージは、BASIC CIDで送信される。表10にマルチキャリアーをサポートするMOB_SMC-RSPメッセージのメッセージフォーマットを示す。表10に示すように、当該メッセージに、1、スキャン持続時間（Scan duration)、2、報告モード（Report mode)、3、報告周期（Report period）、4、報告度量（Report metric）、5、スキャンタイプ（Scanning_type）、6、MOB_NBR-ADVメッセージにキャリアー索引ビットマップが使用されるか否か（Use_SMC_Bitmap_Index）、7、MOB_SCN-REQメッセージにおけるキャリアー索引ビットマップが使用されるか否か（Use_ReqSMC_Bitmap_Index)、8、MOB_NBR-ADVメッセージにおける配置変数（Configuration change count for MOB_SMC-ADV)、9、MOB_NBR-ADVメッセージにおけるビットマップ索引のサイズ（SMC_Bitmap_Size）、10、相応キャリアーが推薦されるか否か（SMC_Bitmap_Index）、11、推薦キャリアーの個数（N_Recommended_SMC_Index）、12、MOB_SMC-ADVメッセージにおけるキャリアー索引（SMC_Index）、13、48ビットの標識（ID）を使用する推薦サービスキャリアーの数（N_Recommended_SMC_Full)、14、推薦キャリアーID（Recommended SMC ID）というパラメーターを添加することができる。
【００７４】
【表１０】
0005623424.tif 000011
【００７５】
ステップ5において、端末は、基地局がMOB_SMC-RSPメッセージで送信したスキャン応答メッセージを受信して、隣の基地局のキャリアーのスキャンを開始して、スキャン応答メッセージに基づいてスキャン報告を与えるか否か及びどのようにスキャン報告を与えるかを決定する。
【００７６】
上記処理から分かるように、基地局は、MOB_SMC-RSPメッセージで端末へ応答メッセージを送信することで、端末の隣の基地局のマルチスキャン要求シグナルに応答することが可能となる。
【００７７】
方法の実施例二
本発明の実施例によって、マルチキャリアーシステムに基づくスキャン応答送信方法が提供される。図６は、本発明の方法の実施例二によるマルチキャリアーシステムに基づくスキャン応答送信方法のフローチャートである。図６に示すように、以下の処理（ステップS602-ステップS604）を含む。
【００７８】
ステップS602において、基地局は、予め設置された切替条件を満たすことを確定する際に、端末がスキャンする必要があるキャリアーを確定して、そのメッセージを切替要求シグナルに携帯させて端末に送信する。
【００７９】
具体的には、端末がスキャンする必要があるキャリアーは、本基地局内のキャリアーであってもよいし、隣り合うマルチキャリアー基地局のキャリアーであってもよく、そして、最適選択的に、推薦キャリアーが全配置キャリアーである。
【００８０】
ステップS604において、端末は、切替要求シグナルに基づいて端末がスキャンする必要があるキャリアーをスキャンする。その中、切替要求メッセージにはスキャンされるキャリアーのメッセージが携帯される。その中、スキャンされるキャリアーのメッセージは、スキャンされるキャリアーの数、標識、周波数、帯域幅を含むがそれらに限らない。
【００８１】
以下、実施例を結び付けて、本発明の方法の実施例二の技術的案を説明する。
【００８２】
実施例5
本実施例において、サービス基地局のキャリアー情報（即ち、基地局の全てのキャリアー情報）は、サービス基地局によってMOB_SMC-ADVメッセージで端末に放送され、切替要求シグナルは、サービス基地局によってMOB_BSHO-REQメッセージで端末に送信され、スキャン応答メッセージは、端末によってMOB_HO-INDメッセージでサービス基地局に送信される。図７は、本発明の方法の実施例による実施例5のフローチャートである。図７に示すように、以下の処理を含む。
【００８３】
ステップ1において、マルチキャリアーをサポートするサービス基地局は、端末へ本基地局の全てのキャリアー情報を放送する。具体的には、サービス基地局のマルチキャリアー情報は、MOB_SMC-ADVメッセージに携帯されることができる。このメッセージ（MOB_SMC-ADVメッセージ）は、新しいメッセージで、基地局内部のキャリアー情報に関するシステムメッセージであって、サービス基地局によって放送チャンネルよりそのサービス領域内の端末に放送されることができる。表1に示すように、当該メッセージにおけるマルチキャリアーメッセージは、マルチキャリアーセルに含まれるキャリアーの数、標識（SCID）、周波数（SCF）、帯域幅（SCB）というパラメーターを含むがそれらに限らない。MOB_SMC-ADVメッセージには、1、現在のサービス基地局のマルチキャリアーの数（N_SCARRIERS)、2、全配置キャリアーであるか否かのフラッグ（SFC flag）、3、現在のサービス基地局の全配置キャリアーの数(N_SFCARRIERS)というパラメーターを添加する必要がある。
【００８４】
ステップ2において、基地局が切替を発起する条件を満たすと、基地局は、端末へ切替要求シグナルを送信して、端末に現在のサービス基地局内のキャリアーをスキャンさせることを指示して、端末へ推薦される端末のスキャンが必要ある現在のサービス基地局内のキャリアーが切替要求シグナルに含まれる（図６でのステップS602に対応する）。具体的には、サービス基地局が端末へ切替要求シグナルを送信する場合、切替要求シグナルをMOB_BSHO-REQメッセージに含むことができ、当該メッセージがBasic CIDで送信される。表11にマルチキャリアーをサポートするMOB_BSHO-REQメッセージのメッセージフォーマットを示す。表11に示すように、当該メッセージに1、サービス基地局の既存のキャリアーの個数（N_current_SMC）、2、サービス基地局の既存のキャリアーの臨時ID（TEMP_SMCID）、3、サービス基地局の既存のキャリアーの臨時安全関連ID（SAID) (TEMP_SMCSAID)、4、サービス基地局の現在のサービスキャリアーの臨時ID（TEMP_SMC_ID_Anchor）というパラメーターを添加することができる。
【００８５】
【表１１】
0005623424.tif 000012
【００８６】
ステップ3において、端末は、現在のサービス基地局から送信された切替要求シグナルを受信した後、サービス基地局が切替要求シグナルに推薦したほかのキャリアーのスキャンを開始して、スキャン結果をサービス基地局に報告するとともに、基地局内の切替を実行するか否かを決定し、かつ、選定された目標キャリアーをサービス基地局に知らせる。図６でのステップS604に対応する）。
【００８７】
具体的には、端末は、サービス基地局内の推薦キャリアーをスキャンした後、推薦キャリアーの関連配置情報、基地局内の切替を実行するか否かの決定、選定された目標キャリアー情報をMOB_HO-INDメッセージに携帯させる。当該メッセージは、BASIC CIDでサービス基地局に送信される。表12にマルチキャリアーをサポートするMOB_HO-INDメッセージのメッセージフォーマットを示す。表12に示すように、当該メッセージには1、サービス基地局のサービスキャリアー以外のその他のキャリアーの個数（N_SMCs)、2、基地局の現在のサービスキャリアーの臨時ID（Anchor SFCID）、3、サービス基地局のサービスキャリアー以外のその他のキャリアーの臨時ID（TEMP_SMCID）、4、基地局内の切替提示タイプ（Intra-BS_IND_Type）というパラメーターを添加することができる。
【００８８】
【表１２】
0005623424.tif 000013
【００８９】
上記処理より、サービス基地局が端末へ切替要求シグナルを自発的に送信する場合では、端末は、MOB_HO-INDメッセージでスキャン応答メッセーを基地局に返すことが可能となる。
【００９０】
実施例6
本実施例で、サービス基地局のキャリアー情報（即ち、基地局の全てのキャリアー情報）は、サービス基地局によってMOB_SMC-ADVメッセージで端末に放送され、切替要求シグナルは、サービス基地局によってMOB_BSSMCHO-REQメッセージで端末に送信され、スキャン応答メッセージは、端末によってMOB_SMCHO-INDメッセージでサービス基地局に送信される。図８は、本発明の方法の実施例による実施例6のフローチャートである。図８に示すように、以下の処理を含む。
【００９１】
ステップ1において、マルチキャリアーをサポートするサービス基地局は、端末へ本基地局の全てのキャリアー情報を放送する。具体的には、サービス基地局のマルチキャリアー情報は、MOB_SMC-ADVメッセージに携帯されることができる。当該メッセージ（MOB_SMC-ADVメッセージ）は、新しいメッセージで、基地局内部のキャリアー情報に関するシステムメッセージであって、サービス基地局によって放送チャンネルよりそのサービス領域内の端末に放送されることができる。表1に示すように、当該メッセージにおけるマルチキャリアー情報は、マルチキャリアーセルに含まれるキャリアーの数、標識（SCID）、周波数（SCF）、帯域幅（SCB）を含むがそれらに限らない。MOB_SMC-ADVメッセージには、1、現在のサービス基地局のマルチキャリアーの数（N_SCARRIERS）、2、全配置キャリアーであるか否かのフラッグ（SFC flag）、3、現在のサービス基地局の全配置キャリアーの数(N_SFCARRIERS)というパラメーターを添加する必要がある。
【００９２】
ステップ2において、基地局が切替を発起する条件を満たすと、基地局は、端末へ切替要求シグナルを送信して、端末に現在のサービス基地局のキャリアーをスキャンさせることを指示して、端末へ推薦されるスキャンが必要となる現在のサービス基地局内のキャリアーが切替要求シグナルに含まれる。具体的には、サービス基地局が端末へ切替要求シグナルを送信する時、新しいメッセージMOB_BSSMCHO-REQに含まれることができ、当該メッセージは、Basic CIDで送信される。表13にマルチキャリアーをサポートするMOB_BSHO-REQメッセージのメッセージフォーマットを示す。表13に示すように、当該メッセージには1、サービス基地局の既存のキャリアーの個数（N_current_SMC)、2、サービス基地局の既存のキャリアーの臨時ID（TEMP_SMCID）、3、サービス基地局の既存のキャリアーの臨時安全関連ID（SAID）（TEMP_SMCSAID)、4、サービス基地局の現在のサービスキャリアーの臨時ID（TEMP_SMC_ID_Anchor）というパラメーターを設置することができる。
【００９３】
【表１３】
0005623424.tif 000014
【００９４】
ステップ3において、端末は、現在のサービス基地局から送信された切替要求シグナルを受信した後、サービス基地局が切替シグナルに推薦するキャリアーのスキャンを開始して、スキャン結果をサービス基地局に報告するとともに、基地局内の切替を実行するか否かを決定し、かつ、選定された目標キャリアーをサービス基地局に知らせる。
【００９５】
具体的には、端末は、サービス基地局内のキャリアーをスキャンした後、キャリアーの関連配置情報、基地局内の切替を実行するか否かの決定及び選定された目標キャリアー情報を新しいメッセージMOB_SMCHO-INDに携帯させる。当該メッセージは、BASIC CIDでサービス基地局に送信される。表14にマルチキャリアーをサポートするMOB_SMCHO-INDメッセージのメッセージフォーマットを示す。表14に示すように、当該メッセージに、1、サービス基地局のサービスキャリアー以外のその他のキャリアーの個数（N_SMCs）、2、サービス基地局の現在のサービスキャリアーの臨時ID（Anchor SFCID）、3、サービス基地局のサービスキャリアー以外のその他のキャリアーの臨時ID（TEMP_SMCID）、4、基地局内の切替提示タイプ（Intra-BS_IND_Type）というパラメーターを設置することができる。
【００９６】
【表１４】
0005623424.tif 000015
【００９７】
上記処理より、サービス基地局が端末へ切替要求シグナルを自発的に送信する場合では、端末は、MOB_SMCHO-INDメッセージで応答メッセージをサービス基地局に返すことが可能となる。
【００９８】
実施例7
本実施例で、隣の基地局のキャリアー情報（即ち、基地局の全てのキャリアー情報）は、サービス基地局によってMOB_NBR−ADVメッセージで端末に放送され、切替要求シグナルは、基地局によってMOB_BSHO-REQメッセージで端末に送信され、スキャン応答メッセージは、端末によってMOB_HO-INDメッセージで基地局に送信される。図９は、本発明の方法の実施例による実施例7のフローチャートである。図９に示すように、以下の処理を含む。
【００９９】
ステップ1において、マルチキャリアーをサポートするサービス基地局は、端末へ隣の基地局の全てのキャリアー情報（上記マルチキャリアー情報）を放送する。具体的には、隣の基地局のマルチキャリアー情報は、MOB_NBR−ADVメッセージに携帯されることができる。表6にマルチキャリアーをサポートするMOB_NBR−ADVメッセージのメッセージフォーマットを示す。表6に示すように、当該メッセージにおけるマルチキャリアー情報は、隣の基地局の標識、プリアンブル索引/サブチャンネル索引、コロケーションするか否かの指示、時間・周波数同期指示、全配置キャリアーであるか否か、マルチキャリアーセルに含まれるキャリアーの数、標識（SCID）、周波数（SCF）、帯域幅（SCB）などのパラメーターを含むがそれらに限らない。
【０１００】
ステップ2において、基地局が切替を発起する条件を満たすと、基地局は、端末へ切替要求シグナルを送信して、端末に隣の基地局内のキャリアーをスキャンすることを指示し、それに端末へ推薦される端末のスキャンが必要がある隣の基地局のキャリアーが切替要求シグナルに含まれる。（図６でのステップS602に対応する）。具体的には、サービス基地局が端末へ切替要求シグナルを送信する際に、切替要求シグナルをMOB_BSHO-REQメッセージに含むことができ、当該メッセージがBasic CIDで送信される。表15にマルチキャリアーをサポートするMOB_BSHO-REQメッセージのメッセージフォーマットを示す。表15に示すように、当該メッセージには1、隣の基地局の既存のキャリアーの個数（N_current_SMC）、2、隣の基地局の既存のキャリアーの臨時ID（TEMP_SMCID）、3、隣の基地局の既存のキャリアーの臨時安全関連ID（SAID) (TEMP_SMCSAID)、4、隣の基地局のキャリアーの臨時ID（TEMP_SMC_ID_Anchor）というパラメーターを添加することができる。
【０１０１】
【表１５】
0005623424.tif 000016
【０１０２】
ステップ3において、端末は、現在のサービス基地局から送信された切替要求シグナルを受信した後、サービス基地局が切替要求シグナルに推薦する隣の基地局のキャリアーのスキャンを開始して、スキャン結果をサービス基地局に報告するとともに、基地局間の切替を実行するか否かを決定する及び選定された目標キャリアーをサービス基地局に知らせる。（図６でのステップS604に対応する）。
【０１０３】
具体的には、端末は、隣の基地局の推薦キャリアーをスキャンした上で、推薦キャリアーの関連配置情報、基地局間の切替決定を実行するか否か、及び選定された目標キャリアー情報をMOB_HO-INDメッセージに携帯する。当該メッセージは、BASIC CIDでサービス基地局に送信される。表16にマルチキャリアーをサポートするMOB_HO-INDメッセージのメッセージフォーマットを示す。表16に示すように、当該メッセージには、1、隣の基地局のキャリアーの個数（N_SMCs）、2、隣の基地局の目標キャリアーの臨時ID（Anchor SFCID）、3、隣の基地局の他のキャリアーの臨時ID（TEMP_SMCID）、4、基地局間の切替提示タイプというパラメーターを添加することができる（Inter-BS_IND_Type）。
【０１０４】
【表１６】
0005623424.tif 000017
【０１０５】
上記処理より、サービス基地局が端末へ切替要求シグナルを自発的に送信する場合では、端末は、MOB_HO-INDメッセージでスキャン応答メッセージを基地局に返すことが可能となる。
【０１０６】
実施例8
本実施例において、隣の基地局のキャリアー情報（即ち、基地局内の全てのキャリアー情報）は、サービス基地局によってMOB_NBR−ADVメッセージで端末に放送され、切替要求シグナルは、サービス基地局によってMOB_BSSMCHO-REQメッセージで端末に送信され、スキャン応答メッセージは、端末によってMOB_SMCHO-INDメッセージでサービス基地局に送信される。図１０は、本発明の方法の実施例による実施例8のフローチャートである。図１０に示すように、以下の処理を含む。
【０１０７】
ステップ1において、マルチキャリアーをサポートするサービス基地局は、端末へ隣の基地局の全てのキャリアー情報（上記マルチキャリアー情報）を放送する。具体的には、隣の基地局のマルチキャリアーは、MOB_NBR−ADVメッセージに携帯されることができる。表6にマルチキャリアーのMOB_NBR−ADVメッセージのメッセージフォーマットを示す。表6に示すように、当該メッセージにおけるマルチキャリアー情報は、隣の基地局の標識、プリアンブル索引/サブチャンネル索引、コロケーションするか否かの指示、時間・周波数同期指示、全配置キャリアーであるか否か、マルチキャリアーセルに含まれるキャリアーの数、標識（SCID）、周波数（SCF）、帯域幅（SCB）などのパラメーターを含むがそれらに限らない。
【０１０８】
ステップ2において、基地局が切替を発起する条件を満たすと、基地局は、端末へ切替要求シグナルを送信して、端末に隣の基地局のキャリアーをスキャンすることを指示し、それに端末へ推薦されるスキャンの必要がある基地局のキャリアーが切替要求シグナルに含まれる。具体的には、サービス基地局が端末へ切替要求シグナルを送信する際に、新しいメッセージMOB_BSSMCHO-REQに含まれることができ、当該メッセージは、Basic CIDで送信される。表17にマルチキャリアーをサポートするMOB_BSHO-REQメッセージのメッセージフォーマットを示す。表17に示すように、当該メッセージに、1、隣の基地局の既存のキャリアーの個数（N_current_SMC）、2、隣の基地局の既存のキャリアーの臨時ID（TEMP_SMCID）、3、隣の基地局の既存のキャリアーの臨時安全関連標識（SAID) (TEMP_SMCSAID)、4、隣の基地局のキャリアーの臨時ID（TEMP_SMCID_Anchor）というパラメーターを設置することができる。
【０１０９】
【表１７】
0005623424.tif 000018
【０１１０】
ステップ3において、端末は、現在のサービス基地局から送信された切替要求シグナルを受信した後、サービス基地局が切替要求シグナルに推薦する隣の基地局のキャリアーのスキャンを開始して、スキャン結果をサービス基地局に報告するとともに、基地局間の切替を実行するか否かを決定する及び選定された目標キャリアーをサービス基地局に知らせる。
【０１１１】
具体的には、端末は、隣の基地局のキャリアーをスキャンした後、キャリアーの関連配置情報、基地局間の切替決定を実行するか否か、及び選定された目標キャリアーを新しいメッセージMOB_SMCHO-INDに携帯することができる。当該メッセージは、BASIC CIDでサービス基地局に送信される。表18にマルチキャリアーをサポートするMOB_SMCHO-INDメッセージのメッセージフォーマットを示す。表18に示すように、当該メッセージに1、隣の基地局の目標キャリアー以外の他のキャリアーの個数（N_SMCs）、2、隣の基地局の目標キャリアーの臨時ID（Anchor SFCID）、3、隣の基地局の目標キャリアー以外のその他のキャリアーの臨時ID（TEMP_SMCID）、4、基地局間の切替提示タイプ（Inter-BS_IND_Type）というパラメーターを設置することができる。
【０１１２】
【表１８】
0005623424.tif 000019
【０１１３】
上記処理より、サービス基地局が端末へ切替要求シグナルを自発的に送信する場合では、端末は、MOB_SMCHO-INDメッセージでスキャン応答メッセージをサービス基地局に返すことが可能となる。
【０１１４】
本発明の実施例によって一つのコンピュータ可読媒体が提供される。当該コンピュータ可読媒体には、コンピュータが実行可能な命令を記憶して、当該命令がコンピュータ或いはCPUに実行されると、コンピュータ或いはCPUに図１〜図１０に示す各ステップの処理を実行させて、最適選択的に、上記実施例及び実施例のうちの一つ或いは複数を実行することができる。
【０１１５】
装置の実施例一
本発明の実施例によって一つの基地局を提供する。図１１は本発明の装置の実施例一による基地局のブロック図であって、図１１に示すように、受信モジュール110、確定モジュール112、送信モジュール114を含む。以下、上記基地局における各モジュールを説明する。
【０１１６】
具体的には、受信モジュール110は、端末から送信されたスキャン要求シグナルを受信するためのものである。受信モジュール110が当該スキャン要求シグナルを受信した後、受信モジュール110に接続される確定モジュール112は、端末の現在の状態（端末の現在運行中のサービスタイプ）および／または基地局内部のスケジュールアルゴリズムによって端末が基地局内の他のキャリアーのスキャンを開始することができるか否かを確定することができる。
【０１１７】
確定モジュール112は、端末が基地局内の他のキャリアーのスキャンを開始することができるか否かを確定した後、さらに端末がスキャンする必要がある推薦キャリアーを確定して、推薦キャリアーの配置パラメーターを設置する。その中、配置パラメーターは、推薦キャリアーの標識、周波数、帯域幅を含むがそれらに限らない。説明しておくと、端末がスキャンするキャリアーは、本基地局内のキャリアーであってもよいし、隣り合うマルチキャリアー基地局内のキャリアーであってもよい。その他、最適選択的に、端末がスキャンする必要があるキャリアーは、全配置キャリアーである。
【０１１８】
確定モジュール112が端末がスキャンを開始することができることを確定すると、確定モジュール112に接続される送信モジュール114は、端末へスキャン応答メッセージを送信する。具体的には、送信モジュール114は、端末に配置パラメーターに基づいてスキャンさせるために配置パラメーターをスキャン応答メッセージに携帯させなければならない。実際の応用では、送信モジュール114は、スキャン応答メッセージに推薦キャリアーの標識、周波数、帯域幅情報の他、さらにスキャン要求シグナルに携帯されたキャリアー標識が対応するキャリアーが推薦されるか否か、推薦キャリアーの個数などの情報を携帯することができる。
【０１１９】
上記処理より、基地局は、端末へスキャン応答メッセージを送信することが可能となる。
【０１２０】
装置の実施例二
本発明の実施例によって一つの基地局を提供する。図１２は本発明の装置の実施例二による基地局のブロック図であって、図１２に示すように、確定モジュール120、送信モジュール122を含む。以下、上記端末における各モジュールを説明する。
【０１２１】
具体的には、予め設定された切替発起条件を満たす場合、確定モジュール120は、端末がスキャンする必要がある推薦キャリアーを確定して、推薦キャリアーの配置パラメーターを設置する。その中、配置パラメーターは、推薦キャリアーの標識、周波数、帯域幅を含むがそれらに限らない。説明しておくと、端末がスキャンする必要があるキャリアーは、本基地局内のキャリアーであってもよいし、隣り合うマルチキャリアー基地局内のキャリアーであってもよい。その他、最適選択的に、端末がスキャンする必要があるキャリアーは、全配置キャリアーである。
【０１２２】
確定モジュール120が推薦キャリアーを確定した後、確定モジュール120に接続される送信モジュール122は、端末に切替要求シグナルに基づいて端末がスキャンする必要があるキャリアーをスキャンさせるために、端末がスキャンする必要があるキャリアーの情報を切替要求シグナルに携帯させて端末に送信する。
【０１２３】
説明しておくと、付け加えた特許請求に記載の精神と範囲を背離しない場合では、上記各モジュールに様々な変更及び組合わせを実施することができる。
【０１２４】
上述したように、本発明の実施例が提供する技術的案によれば、スキャン応答メッセージを設置することで、マルチキャリアーシステムにおいて、端末が基地局へスキャン要求シグナルを送信する時、基地局は、端末へスキャン応答メッセージを送信することができ、基地局が端末へ切替要求シグナルを自発的に送信する時、端末は、切替要求シグナルに基づいて端末がスキャンする必要があるキャリアーに対してスキャンすることができる。
【０１２５】
また、本発明の実現は、システム構造と現在の処理プロセスを改修しないため容易であり、技術分野に普及しやすく、より強い工業適用性を持つ。
【０１２６】
明らかに、本分野の当業者は、上述した本発明の各モジュールまたは各ステップが汎用の計算装置で実現されることができ、それらが単一の計算装置に集中される、或いは複数の計算装置からなるネットワークに配置されてもよく、選択的に、それらが計算装置実行可能プログラムコードで実現されることができて、そのため、それらを記憶装置に記憶して計算装置より実行される、或いは、それらを別々の集積回路モジュールにそれぞれ作成する、或いは、それらのうちの複数のモジュール又はステップを単一の集積回路モジュールに作成して実現されることができると理解すべきである。このように、本発明は、いかなる特定のハードウェアとソフトウェアの結合にも制限されない。
【０１２７】
上述したものは、本発明の実施形態にすぎず、本発明を限定することに用いられるものではなく、当業者にとっては、様々な変更と変化を実施することができる。実質及び要旨を逸脱しない範囲で、当業者が本発明に対して行った様々の修正、等同切替、改良などは、本発明の特許請求の範囲に含まれると理解すべきである。
【図１】
0005623424.tif 000020
【図２】
0005623424.tif 000021
【図３】
0005623424.tif 000022
【図４】
0005623424.tif 000023
【図５】
0005623424.tif 000024
【図６】
0005623424.tif 000025
【図７】
0005623424.tif 000026
【図８】
0005623424.tif 000027
【図９】
0005623424.tif 000028
【図１０】
0005623424.tif 000029
【図１１】
0005623424.tif 000030
【図１２】
0005623424.tif 000031